(57)【要約】      （修正有）【課題】患者の身体の大きさが異なるような場合でも、常に良好な温熱治療が受けられる温水治療装置を提供すること。【解決手段】治療槽１の外側から治療槽１へ患者を出し入れするための介助支援システム３とを備えた温水治療装置である。介助支援システム３は、患者を乗せる乗せ部材１０と、乗せ部材１０を治療槽１の内部と外部との間を移動させる位置移動装置１１とを備え、乗せ部材１０は、患者の下腿部を支持する下腿載置部と、患者の臀部を支持する臀部載置部と、患者の上体を支持する上体載置部と、を有し、下腿載置部は、臀部載置部の一端部に上下回動可能に連結され、上体載置部は臀部載置部の他端部に上下回動可能に連結されている。【選択図】図１
2007190152.tif 000002
【特許請求の範囲】
【請求項１】
患者の頭部以外のほぼ全身を液体に浸す治療槽と、該治療槽内の液体を所定の温度に制御する温調部と、該治療槽の外側から該治療槽へ患者を出し入れするための介助支援システムとを備え、
該温調部により温度制御された液体で、該治療槽内の患者のほぼ全身の体温を所定の温度に制御する温水治療装置であって、
該介助支援システムは、患者を乗せる乗せ部材と、該乗せ部材又は治療槽を移動させて乗せ部材を治療槽の内部と外部との間を移動させる位置移動装置とを備え、
該乗せ部材は、患者の下腿部を支持する下腿載置部と、患者の臀部を支持する臀部載置部と、患者の上体を支持する上体載置部と、を有し、
該下腿載置部は、該臀部載置部の一端部に上下回動可能に連結され、該上体載置部は該臀部載置部の他端部に上下回動可能に連結され、
該下腿載置部の遊端部に患者の足を支持する足載置部が設けられ、該上体載置部の遊端部に頭部載置部が伸縮可能に連結され、該下腿載置部は伸縮可能に構成されている温水治療装置。
【請求項２】
前記臀部載置部の端部に上方へ傾斜した傾斜片が形成され、該傾斜片の端部に前記乗せ部材の下腿載置部が上下回動可能に連結されている請求項１に記載の温水治療装置。
【請求項３】
前記乗せ部材の上体載置部が、前記臀部載置部の端部から所定角度起きており、少なくとも患者の頭部を液面より上に支持する請求項１に記載の温水治療装置。
【請求項４】
前記治療槽内の患者の上方を覆う外蓋を有し、該外蓋は、患者の顔に冷風を吹き付けるダクトを有する請求項１に記載の温水治療装置。
【請求項５】
一端部が患者に連結されるワイヤまたはチューブの他端部が、治療槽の近傍位置に配置されたレールに移動可能に連結されている請求項１に記載の温水治療装置。
【請求項６】
患者の頭部以外のほぼ全身を液体に浸す治療槽と、該治療槽内の液体を所定の温度に制御する温調部と、該治療槽の外側から該治療槽へ患者を出し入れするための介助支援システムとを備え、
該温調部により温度制御された液体で、該治療槽内の患者のほぼ全身の体温を所定の温度に制御する温水治療装置であって、
該介助支援システムは、患者を乗せる乗せ部材と、該乗せ部材又は治療槽を移動させて乗せ部材を治療槽の内部と外部との間を移動させる位置移動装置とを備え、
さらに、該治療槽内の患者の上方を覆う外蓋を有し、該外蓋は、患者の顔に向けて冷風を吹き付けるダクトを有し、
該ダクトに冷風供給装置が接続されている温水治療装置。
【請求項７】
患者の頭部以外のほぼ全身を液体に浸す治療槽と、該治療槽内の液体を所定の温度に制御する温調部と、該治療槽の外側から該治療槽へ患者を出し入れするための介助支援システムとを備え、
該温調部により温度制御された液体で、該治療槽内の患者のほぼ全身の体温を所定の温度に制御する温水治療装置であって、
該介助支援システムは、患者を乗せる乗せ部材と、該乗せ部材又は治療槽を移動させて乗せ部材を治療槽の内部と外部との間を移動させる位置移動装置とを備え、
一端部が患者に連結されるワイヤまたはチューブの他端部が、治療槽の近傍位置に配置されたレールに移動可能に連結されている温水治療装置。
【請求項８】
患者の頭部以外のほぼ全身を液体に浸す治療槽と、該治療槽内の液体を所定の温度に制御する温調部と、該治療槽の外側から該治療槽へ患者を出し入れするための介助支援システムとを備え、
該温調部により温度制御された液体で、該治療槽内の患者のほぼ全身の体温を所定の温度に制御する温水治療装置であって、
該介助支援システムは、患者を乗せる乗せ部材と、該乗せ部材又は治療槽を移動させて乗せ部材を治療槽の内部と外部との間を移動させる位置移動装置とを備え、
該治療槽に、内面に開口する複数の温水吐出口が設けられ、該複数の温水吐出口のうち、少なくとも２つの温水吐出口を連結する複数の第１の連結管が設けられ、該複数の第１連結管のうち少なくとも２つの第１の連結管を連結する第２の連結管が設けられ、該第２連結管に温水が供給されるように構成されている温水治療装置。
【発明の詳細な説明】
【技術分野】
【０００１】
本発明は、所定の温度に制御した液体で、人体を所定の温度に加温し治療する温水治療器に関する。
【背景技術】
【０００２】
従来、患者の全身を体温より高い温度（例えば、３９℃〜４２℃）で一定時間保持することにより、感染症又は癌などの病気を温熱治療する装置として、特開平１０−３３６２６号公報（特許文献１）には、浴槽、強制循環ボイラー、制御手段、制御部等からなる温浴型温熱治療装置が開示されている。
【０００３】
この装置では、比較的急速な深部体温の上昇が実現できるが、患者を好適に浴槽に出入りさせる構成及び浴槽内に患者を好適に保持する構成等は開示されていない。従って、身体の不自由な患者を浴槽内で治療するための補助者の労力が大きいという欠点があり、患者を浴槽に容易に出入りさせたり、患者を浴槽内に保持する装置が要望されていた。
【０００４】
特開２００４−９７４０５号公報（特許文献２）には、患者の頭部以外のほぼ全身を液体に浸す治療槽と、治療槽内の液体を所定の温度に制御する温調部と、治療槽へ患者を出し入れする為の介助支援システムとを備え、該温調部により温度制御された液体で患者のほぼ全身の体温を所定の温度に制御する温水治療装置が開示され、特に、前記介助支援システムは、患者を乗せる乗せ部材と、乗せ部材又は治療槽を移動させて、乗せ部材を治療槽の内部と外部とに位置移動させる位置移動装置とからなり、患者に生体モニターの端末部材が装着され、該装着される部位を支持する装着部位支持装置が、前記治療槽又は乗せ部材に取着されてなる温水治療装置が提案されている。
【０００５】
この装置では、患者を乗せ部材に乗せた状態で患者を治療槽の内部と外部とに移動できるので、移動の不自由な患者でも容易に治療を受けることができる。
【０００６】
しかし、乗せ部材は様々な体型の患者にも適用できるように、一般の患者の身体の大きさよりも比較的大きく構成されているため、身体の小さい患者が治療を受けるような場合には、乗せ部材上で患者が移動し易く、治療槽内の液体中に患者の身体を沈めたような場合には身体に浮力が作用するので身体が安定せず、特に下腿部が浮き上がり易く、良好な治療が受けられないという欠点がある。
【０００７】
また、身体の大きい患者の場合には、窮屈な状態で温熱治療を受ける場合があり、そのような場合には、血行の流れが悪くなるため良好な温熱治療が行えないという欠点がある。
【特許文献１】特開平１０−３３６２６号公報
【特許文献２】特開２００４−９７４０５号公報
【発明の開示】
【発明が解決しようとする課題】
【０００８】
本発明は上記の課題を解決したもので、患者の身体の大きさが異なるような場合でも、常に良好な温熱治療が受けられる温水治療装置を提供することを目的とする。
【課題を解決するための手段】
【０００９】
本発明の温水治療装置は、患者の頭部以外のほぼ全身を液体に浸す治療槽と、該治療槽内の液体を所定の温度に制御する温調部と、該治療槽の外側から該治療槽へ患者を出し入れするための介助支援システムとを備え、該温調部により温度制御された液体で、該治療槽内の患者のほぼ全身の体温を所定の温度に制御する温水治療装置であって、該介助支援システムは、患者を乗せる乗せ部材と、該乗せ部材又は治療槽を移動させて乗せ部材を治療槽の内部と外部との間を移動させる位置移動装置とを備え、該乗せ部材は、患者の下腿部を支持する下腿載置部と、患者の臀部を支持する臀部載置部と、患者の上体を支持する上体載置部と、を有し、該下腿載置部は、該臀部載置部の一端部に上下回動可能に連結され、該上体載置部は該臀部載置部の他端部に上下回動可能に連結され、該下腿載置部の遊端部に患者の足を支持する足載置部が設けられ、該上体載置部の遊端部に頭部載置部が伸縮可能に連結され、該下腿載置部は伸縮可能に構成されており、そのことにより上記目的が達成される。
【００１０】
一実施態様では、前記臀部載置部の端部に上方へ傾斜した傾斜片が形成され、該傾斜片の端部に前記乗せ部材の下腿載置部が上下回動可能に連結されている。
【００１１】
一実施態様では、前記乗せ部材の上体載置部が、前記臀部載置部の端部から所定角度起きており、少なくとも患者の頭部を液面より上に支持する。
【００１２】
一実施態様では、前記治療槽内の患者の上方を覆う外蓋を有し、該外蓋は、患者の顔に冷風を吹き付けるダクトを有する。
【００１３】
一実施態様では、一端部が患者に連結されるワイヤまたはチューブの他端部が、治療槽の近傍位置に配置されたレールに移動可能に連結されている。
【００１４】
本発明の他の温水治療装置は、患者の頭部以外のほぼ全身を液体に浸す治療槽と、該治療槽内の液体を所定の温度に制御する温調部と、該治療槽の外側から該治療槽へ患者を出し入れするための介助支援システムとを備え、該温調部により温度制御された液体で、該治療槽内の患者のほぼ全身の体温を所定の温度に制御する温水治療装置であって、該介助支援システムは、患者を乗せる乗せ部材と、該乗せ部材又は治療槽を移動させて乗せ部材を治療槽の内部と外部との間を移動させる位置移動装置とを備え、さらに、該治療槽内の患者の上方を覆う外蓋を有し、該外蓋は、患者の顔に向けて冷風を吹き付けるダクトを有し、該ダクトに冷風供給装置が接続されており、そのことにより上記目的が達成される。
【００１５】
本発明のさらに他の温水治療装置は、患者の頭部以外のほぼ全身を液体に浸す治療槽と、該治療槽内の液体を所定の温度に制御する温調部と、該治療槽の外側から該治療槽へ患者を出し入れするための介助支援システムとを備え、該温調部により温度制御された液体で、該治療槽内の患者のほぼ全身の体温を所定の温度に制御する温水治療装置であって、該介助支援システムは、患者を乗せる乗せ部材と、該乗せ部材又は治療槽を移動させて乗せ部材を治療槽の内部と外部との間を移動させる位置移動装置とを備え、一端部が患者に連結されるワイヤまたはチューブの他端部が、治療槽の近傍位置に配置されたレールに移動可能に連結されており、そのことにより上記目的が達成される。
【００１６】
本発明のさらに他の温水治療装置は、患者の頭部以外のほぼ全身を液体に浸す治療槽と、該治療槽内の液体を所定の温度に制御する温調部と、該治療槽の外側から該治療槽へ患者を出し入れするための介助支援システムとを備え、該温調部により温度制御された液体で、該治療槽内の患者のほぼ全身の体温を所定の温度に制御する温水治療装置であって、該介助支援システムは、患者を乗せる乗せ部材と、該乗せ部材又は治療槽を移動させて乗せ部材を治療槽の内部と外部との間を移動させる位置移動装置とを備え、該治療槽に、内面に開口する複数の温水吐出口が設けられ、該複数の温水吐出口のうち、少なくとも２つの温水吐出口を連結する複数の第１の連結管が設けられ、該複数の第１連結管のうち少なくとも２つの第１の連結管を連結する第２の連結管が設けられ、該第２連結管に温水が供給されるように構成されており、そのことにより上記目的が達成される。
【００１７】
（作用）
本発明の温水治療装置では、温調部で治療槽内の液体を所定の温度に制御し、所定温度に加温した治療槽内の液体で患者のほぼ全身の体温を温度制御して患者を治療する。
【００１８】
介助支援システムの乗せ部材上に患者を乗せ、介助支援システムによって患者を治療槽へ出し入れする。
【００１９】
ここで、乗せ部材は、患者の下腿部を支持する下腿載置部と、患者の臀部を支持する臀部載置部と、患者の上体を支持する上体載置部と、を有し、該下腿載置部は、該臀部載置部の一端部に上下回動可能に連結され、該上体載置部は該臀部載置部の他端部に上下回動可能に連結され、該下腿載置部の遊端部に患者の足を支持する足載置部が設けられ、該上体載置部の遊端部に頭部載置部が伸縮可能に連結され、該下腿載置部は伸縮可能に構成されている。
【００２０】
よって、患者の身長等に応じて、大腿載置部を伸張し、および上体載置部を伸張できるので、窮屈な姿勢で患者が治療を受けることがない。
【００２１】
さらに、浮力が身体に作用した場合でも、足が浮いてその足の位置が治療中に変わることもなく、また足保持部によって下腿部が保持されるので、足が治療中に移動することもない。また、膝を折って温熱治療を受けることができるので、血行を促進することができる。
【００２２】
半身浴の温熱治療を受ける際には、上体載置部を下方へ折り曲げることによって患者の全身を液体中に浸漬し、患者の全身を加温した後、上体載置部を上動させることによって患者の上半身（特に、肺が液面から上方へでるように）を液体から出すようにした状態で、温熱治療を施すことができる。
【００２３】
また、患者の右手（又は左手）にセンサを装着し、そのセンサを見ながら、加温すると共に、ワイヤ、チューブを患者に取り付けて行うが、そのワイヤ、チューブが邪魔にならないように、レールにワイヤー、チューブの端部を移動可能に連結することにより、治療空間を有効に利用できる。
【００２４】
特に、治療槽内の患者の上方を覆う外蓋を設け、外蓋に患者の顔に冷風を吹き付けるダクトを設け、ダクトに冷風供給装置が接続されていると、ダクトから、冷風を治療中の患者の顔に向けて吹き付けることができ、この冷風は人体の顔にある冷受容体を刺激することで、熱によるストレスを軽減できる。
【００２５】
また、一端部が患者に連結されるワイヤまたはチューブの他端部が、治療槽の近傍位置に配置されたレールに移動可能に連結されていることにより、ワイヤまたはチューブをレールに沿って移動できるので、これらが治療の邪魔になることがない。
【００２６】
さらに、治療槽に、内面に開口する複数の温水吐出口が設けられ、該複数の温水吐出口のうち、少なくとも２つの温水吐出口を連結する複数の第１の連結管が設けられ、該複数の第１連結管のうち少なくとも２つの第１の連結管を連結する第２の連結管が設けられ、該第２連結管に温水が供給されるように構成されていることにより、第２連結管に供給された温水を複数の第１連結管に分水し、それからさらに、各温水吐出口に分水できるため、均一に温調された温水が治療槽に注入される。
【発明の効果】
【００２７】
本発明によれば、患者の体のサイズが異なるような場合でも、常に良好な温熱治療が受けられる温水治療装置を提供できる。
【００２８】
また、膝を折って温熱治療を受けることができるので、患者の血行を促進して効果的な温熱治療を受けることができる。
【００２９】
温熱治療時に、浮力が患者の体に作用した場合でも、体が浮いて移動することがなく、従って、確実な温熱治療が行える。
【００３０】
患者の身長等に応じて、大腿載置部を伸張し、および上体載置部を伸張できるので、患者の体格等にかかわらず、患者が治療中に移動することを防止して、効果的な治療が行える。
【００３１】
また、患者の全身を加温した後、上体載置部を上動させることによって患者の上半身（特に、肺が液面から上方へでるように）を液体から出すようにした状態で、温熱治療を施すことができるので、所定の体温を維持しながら、患者へのストレスの負担を軽減することができ、比較的短時間で半身浴の治療が行える。
【発明を実施するための最良の形態】
【００３２】
以下に本発明の実施形態を示す。
【００３３】
（温熱治療装置の全体構成）
図１〜図１０は、第１実施例の温熱治療装置４の全体構成を示す。
【００３４】
この温水治療装置４は、患者の頭部以外のほぼ全身（あるいは、ほぼ肺から下の下半身）を液体に沈めて所定温度で加温する治療槽１と、前記治療槽１内の液体を所定の温度に制御する温調部２と、前記治療槽１へ患者を出し入れする為の介助支援システム３とを備える。
【００３５】
治療槽１内に入れられる液体としては、水、これに薬液を混入したもの、あるいはアルカリイオン水、陰イオン水等を使用することができる。特に、水を電気分解した陰イオン水が好ましい。
【００３６】
このような陰イオン水を使用することにより、治療槽１内の液体の電位を下げることができる。また、患者への刺激を軽減でき、さらに患者への熱の湿潤性を高めて、温熱治療効果を高めることができる。
【００３７】
前記温水治療装置４は温調部２により治療槽１内の液体が温度制御され、その温度制御された液体で患者のほぼ全身の体温を所定の温度（例えば、３９℃〜４２℃）に制御するものである。
【００３８】
（治療槽）
治療槽１は上方が開放するほぼ箱状に形成され、治療槽１内に上記した液体が注入される。図５に示すように、この液面の上面には内蓋６が配置され、液体の上面を内蓋６で覆って液体の温度が外部へ逃げることが極力防止され、液体の温度がほぼ一定に保たれるように構成されている。内蓋６には開口部８が形成され、この開口部８を通して患者の首あるいは上半身が液体から上方へ出される。
【００３９】
内蓋６としては、例えば、発泡構造に形成された保温材の表裏面にアルミ箔を積層したもので構成することができる。
【００４０】
治療槽１の開放部において、治療槽１内の患者の頭部あるいは上半身を除いて（上体浸入部を除いて）、患者を覆う外蓋７が配設される。この外蓋７には１本あるいは複数本のダクト９が配管され、ダクト９の端部に形成されたノズル部９ａが患者の顔側を向くように構成されている。このダクト９を通して１０℃〜２５℃（室温）の冷風を、治療中の患者の顔に向けて吹き付けるようになっている。特に、この冷風は、人体の顔にある冷受容体を刺激し、熱によるストレスを軽減するように、患者の冷受容体に向けて吹き付けるようにするのが好ましい。ダクト９には従来より公知の冷風供給装置が接続される。
【００４１】
なお、治療槽１内に患者の上体が浸入する上体浸入部の周囲には、施療者及び生体モニター５が接近できる施療空間２２が確保される（図１参照）。特に、患者の頭部付近における治療槽１の周囲には施療空間２２が形成されている。
【００４２】
（温調部）
温調部２は、上記治療槽１に液体を供給するために治療槽１の近傍位置に設定されている。
【００４３】
この温調部２には、装置を操作する操作パネル１９を有し、また図７の系統図に示すように、治療槽１に湯を導入する給湯配管２６と、給湯配管２６に水を導入する給水配管２９と、湯を導入する給湯配管３０と、治療槽１内液体を循環する配管３３と、該配管３３に接続された、循環ポンプ１３、フィルター３４、イオン水に分解するための電解モジュール３５、および液体を加温する治療槽ヒーター１２と、治療槽１内に設けられ液体の温度を測る治療槽温度センサー３６と、を備えている。さらに、排水配管３１と、治療槽１に流入する湯水に薬液を注入し得る薬液注入口３２と、治療後、治療槽１に消毒用の薬液を注入できる薬液注入装置を備えることができる。更に、治療槽１内の液体を渦流させるエジェクター装置を設置してもよい。図中、３７はストレーナー、３８は濃度計である。
【００４４】
この実施例では、治療槽１の内壁に８つの湯水吐出口（ノズル）２３が設けられ、隣接する２つのノズル２３を接続する第１の連結管６１が設けられ、さらに隣接する第１の連結管６１を連結する第２の連結管６２が設けられ、さらに第２連結管６２を連結する第３の連結管６３が設けられている。そして、この第３の連結管６３に上記した配管３３が接続されている。このような構成とすることにより、配管３３からの温水を第３の連結管６３を介して第２の連結管６２に分配し、さらに第１の連結管６１に分配するので、治療槽１内へ温度が均一に調整された温水を供給できる。
【００４５】
操作パネル１９は、図８に示すように、タッチパネル４０内に、給湯温度設定項目４１と、給湯スイッチ４２と、浸漬開始から浸漬終了までの時間を示す治療時間表示４３と、消毒・洗浄・排水スイッチ４４と、リセットスイッチ４５などを有する。さらに、給湯設定温度を示す表示部４６と、治療槽温度設定を示す表示部４７と、測定値を示す表示部４８とを有する。
【００４６】
（介助支援システム）
図１〜４、図９および図１０に示すように、介助支援システム３は、患者を乗せる乗せ部材１０と、乗せ部材１０又は治療槽１を移動させて、乗せ部材１０を治療槽１の内部と外部とに移動させる位置移動装置１１を有する。
【００４７】
図２、３に示す位置移動装置１１の具体例は、乗せ部材１０を支持し該乗せ部材１０を水平方向及び垂直方向に移動させる昇降ストレッチャー１５である。
【００４８】
昇降ストレッチャー１５は、伸縮作動する伸縮部を有し、乗せ部材１０を昇降させるものである。又、伸縮部は、乗せ部材１０を患者の移乗に適する上方高さで自動停止させ、更に、乗せ部材１０を患者に麻酔を掛ける作業に適する下方高さで自動停止させるものである。例えば、患者の腰の高さあたりを上方高さなどとする。なお、麻酔は任意に行うことができ、患者に麻酔を掛けないで作業することもできる。
【００４９】
図９および図１０に示すように、乗せ部材１０は、患者の下腿部を支持する下腿載置部１０１と、患者の臀部を支持する臀部載置部１０２と、患者の上体を支持する上体載置部１０３と、を有する。臀部載置部１０２の端部に上方へ傾斜して傾斜片１０２ａが形成されている。この傾斜片１０２ａの端部に、下腿載置部１０１が上下回動可能に連結されている。また、上体載置部１０３は該臀部載置部１０２の他端部に上下回動可能に連結されている。該下腿載置部１０１の遊端部に患者の足を支持する足載置部１０４が設けられ、該上体載置部１０３の遊端部に頭部載置部１０５が伸縮可能に連結されている。さらに、下腿載置部１０１は伸縮可能に構成されている。
【００５０】
上記下腿載置部１０１は任意の傾斜角度に該臀部載置部１０２に固定でき、また上体載置部１０３も任意の傾斜角度に該臀部載置部１０２に固定できるように構成されている。
【００５１】
さらに、頭部載置部１０５も任意の伸縮程度で該上体載置部１０３に固定でき、下腿載置部１０１も任意の伸縮程度で固定できるように構成されている。
【００５２】
これら部材の角度および伸縮程度は患者の体格、温熱治療のレベル等に応じて調整される。
【００５３】
上記乗せ部材１０の上体載置部１０３は、臀部載置部１０２の端部から所定角度だけ起きており、少なくとも患者の頭部を液面より上に支持できるようになっている。
【００５４】
また、乗せ部材１０の下腿載置部１０１は、臀部載置部１０２より高位に曲折形成される。下腿載置部１０１に対向する前記治療槽１の下体浸入部１ｂは上げ底に形成される。
【００５５】
（装着部位支持装置）
患者に生体モニターの端末部材が装着される。その装着される部位を支持する装着部位支持装置６０が、前記乗せ部材１０に脱着可能に取着される。例えば、配線の先端に電子体温センサーがある場合には、その配線の他端を装着部位支持装置が支持する。
【００５６】
図１０に示すように、患者を乗せる乗せ部材上に乗せられた患者の上方位置に配置するように、アーム７０が乗せ部材に回動可能に取り付けられており、このアーム７０に装着部位支持装置６０が取り付けられている。患者が乗せ部材上に乗り降りする際には、アーム７０を回動して乗せ部材の上方が開放される。アーム７０に１つ又は２つの装着部位支持装置６０を固着してもよい。乗せ部材の側面には、アームの取り付け位置と反対側において患者を保護するガード部材が設けられる。
【００５７】
装着部位支持装置６０は、患者の上肢を支える面状部材と、面状部材をアーム７０に取着する支持具とを有する。支持具は、通常はアーム７０にノブネジなどで止められる。面状部材６０はアーム７０に対して傾斜可能に連結され、またアーム７０の直交する方向に（ほぼ載せ部材の面方向に）、移動可能になっている。
【００５８】
このように、装着部位支持装置６０は、角度と位置移動ができる構造となっており、患者の甲又は腕などに取り付けた装着部位が液面より上にでるように調整される。
【００５９】
治療槽１の上体浸入部には、ホース、コード等を適宜支持するレールが配設されている。例えば、患者の右手にセンサを装着し、そのセンサを見ながら液体を加温する。この場合、ワイヤ、チューブを患者に取り付けて行うが、そのワイヤ、チューブが邪魔にならないように、レールにワイヤー、チューブの端部を移動可能に連結することにより、治療空間を有効に利用できる。
【００６０】
（装置の準備）
第１実施例の温熱治療装置４を使用する際には、先ず、給水、給湯配管から治療槽１へ、湯、水を適宜にミキシングしながら注ぎ、治療槽１内に所定温度で給湯する。治療槽１が満水になると該治療槽１の湯を治療槽１へ治療槽循環用ポンプ１３を用いて送る。
【００６１】
（患者の準備）
昇降ストレッチャー１５の乗せ部材１０に患者を乗せ、治療槽１の直上に移動する。
【００６２】
ここで、患者の体格に合わせて頭部載置部１０５を伸縮して上体載置部１０３に固定し、また下腿載置部１０１を伸縮して固定する。同時に、下腿載置部１０１の臀部載置部１０２に対する傾斜角度を調整すると共に、上体載置部１０３の臀部載置部１０２に対する角度を調整して所定の傾斜角度に固定する。
【００６３】
次に、患者に麻酔を掛けた後、該患者に生体モニター５から出た各種端末部材を、上腕、鎖骨部、顔面等に装着する。生体監視に係る監視項目は、直腸温度、心電図、心拍数、点滴による薬液投与、血圧、ＳＰＯ2、その他である。
【００６４】
各種端末部材の具体例は、電極、注射針、温度センサー、光発受光器、その他であり、コード及びホースで生体モニター５に接続される。装着部位支持装置６０を乗せ部材１０から上方へ突出させ、該装着部位支持装置で装着部位６０を支持する。
【００６５】
次に、昇降ストレッチャー１５の伸縮部を駆動して乗せ部材１０を下降させ、患者を液体中へ浸入させ、治療を開始する。所定の治療温度に調節した液体で、患者を昇温し所定温度に制御し、感染症又は癌等の治療を行なう。また、本発明の装置は、糖尿病患者等にも適用できる。
【００６６】
その際、液面上に内蓋６を載置し、内蓋６に形成した開口部から患者の頭部（もしくは肺から上半身）を液面上に出すようにする。また、治療槽１の上部に外蓋７を配置する。
【００６７】
なお、治療開始時は、全身を加温し、所定時間経過後に半身のみを加温する場合には、上記乗せ部材１０の上体載置部１０３を臀部載置部１０２の端部から所定角度だけ起こして、患者の上半身を液面から出すようにしてもよい。
【００６８】
（治療中、温度制御）
治療槽１内の湯を配管３３を介してポンプ１３で循環移動させ、治療槽１内の湯温度を一定にする。ノズル２３が、治療槽１の内壁面の対向する位置に複数配置されているので、各ノズル２３から湯を治療槽１内へ噴出することにより、湯は治療槽１内で均一に混合される。上記したように、治療槽１への湯の供給は、治療槽１の内壁面に配置した４つのノズルのうち２つのノズルをそれぞれ第１の配管で連結し、異なる第１の配管をさらに第２の配管で連結し、さらに異なる第２の配管を第３の配管で連結し、異なる第３の配管をさらに第４の配管で連結して、第４の配管に湯を供給するようにしている。このように構成することにより、治療槽１内に温度が均等な湯を供給することができる。
【００６９】
温調部２が有する温度制御機能で、治療槽１内の液体の湯温を制御する。温度制御機能は、温度センサーの入力を得て、給水弁、給湯弁を開閉操作し、治療槽ヒーターを通電制御する。
【００７０】
（給湯）
給湯温度をタッチパネル内の給湯温度設定項目で、設定し、給湯スイッチで、治療槽１へ給湯を開始し、所定水位になると給湯を停止し、常時循環し、恒温制御を行い、設定温度に達したら、操作パネル１９の操作部の表示が「給湯完了」であることを、確認し、表示する。
【００７１】
（治療槽温度の設定）
患者に直腸温度センサーを装着し、直腸温度が操作パネル１９に表示されているかを確認の上、至適な治療温度で治療槽温度設定項目で、設定し、設定温度に達したら、操作パネル１９の操作部の表示が「浸漬可能」であることを確認し表示する。
【００７２】
（治療開始）
患者を治療槽１内へ浸漬完了後、浸漬開始スイッチで、操作パネル１９内に「治療中」の表示がされ、治療時間の累計が表示される。治療中は、適宜治療槽温度を変更する。
【００７３】
（治療終了）
患者を治療槽１外へ移動後、浸漬終了スイッチを押すと操作パネル１９内の「治療中」の表示が「治療終了」となる。
【００７４】
（消毒・洗浄・排水）
治療終了後、消毒・洗浄スイッチで、次亜塩素酸ナトリウム（濃度５００ｐｐｍ）を注入し、２０分間循環させ消毒する。
【００７５】
消毒終了後、排水を行い、温水で１０分間洗浄を行い、治療機内の湯を排水する。
【００７６】
図１１に示す第２実施例は、第１実施例に係る昇降ストレッチャーを片持ちリフト１６に代えたものである。
【００７７】
片持ちリフト１６は、乗せ部材１０の、患者の足部側を片持ち支持し、頭部側を開放しており、施療者が患者の上体に接近し易いように配慮して構成される。
【００７８】
即ち、片持ちリフト１６は、治療槽１の下体浸入部側に設置され、乗せ部材１０の下腿載置部１０１側を支持する。
【００７９】
片持ちリフトは、乗せ部材１０を治療槽１の内部と外部とに所定の軌跡をもって移動させる。この場合にも、乗せ部材１０は上記のように構成される。
【００８０】
図１２に示す第３実施例は、第１実施例における昇降ストレッチャー１５を、治療槽１内に設けられ、乗せ部材１０を固定的に支持する固定台に代え、治療槽１を、治療槽昇降機１７で昇降可能に支持される昇降治療槽３７に代えたものである。
【００８１】
治療の際は、先ず、患者を乗せ部材１０に乗せ、麻酔、端末部材の装着等を行なう。次に、液体を収容した昇降治療槽１を治療槽昇降機で上昇させ、患者を液体に浸ける。液体の温度を制御し、患者の体温を制御し治療する。
【００８２】
図１３に示す第４実施例は、第１実施例における昇降ストレッチャー１５を、治療槽１内に伸縮可能に内蔵設置される内蔵昇降リフト１８に代えたものである。乗せ部材１０は、内蔵昇降リフトで昇降される。
【００８３】
治療の際は、患者を乗せ部材１０に乗せ、麻酔、端末部材の装着を行なう。昇降乗せ部材１０を下降させ、患者を治療槽１内の液体に浸ける。液体の温度を所定の一定温度に制御し、患者の体温を上昇させ治療する。この場合にも、乗せ部材１０は上記のように構成される。
【図面の簡単な説明】
【００８４】
【図１】本発明の第１実施例の平面図。
【図２】本発明の第１実施例の正断面図。
【図３】本発明の第１実施例の右側断面図。
【図４】本発明の第１実施例に係る昇降ストレッチャーの平面図。
【図５】本発明の第１実施例で用いた治療槽の平面図。
【図６】上蓋の要部断面図。
【図７】本発明の第１実施例の配管系統図。
【図８】操作パネルの説明図。
【図９】本発明の第１実施例に用いる乗せ部材の概略図。
【図１０】本発明の第１実施例に用いる乗せ部材の斜視図。
【図１１】本発明の第２実施例の斜視図。
【図１２】本発明の第３実施例の正面断面図。
【図１３】本発明の第４実施例の正面断面図。
【符号の説明】
【００８５】
１    治療槽
２    温調部
３    介助支援システム
４    温水治療装置
５    生体モニター
１０    乗せ部材
１１    位置移動装置
１５    昇降ストレッチャー
１６    片持ちリフト
【図１】
2007190152.tif 000003
【図２】
2007190152.tif 000004
【図３】
2007190152.tif 000005
【図４】
2007190152.tif 000006
【図５】
2007190152.tif 000007
【図６】
2007190152.tif 000008
【図７】
2007190152.tif 000009
【図８】
2007190152.tif 000010
【図９】
2007190152.tif 000011
【図１０】
2007190152.tif 000012
【図１１】
2007190152.tif 000013
【図１２】
2007190152.tif 000014
【図１３】
2007190152.tif 000015